(57)【要約】  本発明の一実施形態によるバッテリーモジュールは、少なくとも一側にヒートシンクが取り付けられるモジュールケースと、モジュールケースの内部に収容され、電気的に相互接続できるように積層される複数のバッテリーセルとを含み、複数のバッテリーセルのうち対面するバッテリーセルの間には熱伝達を遅らせるための複数の空隙が形成されることを特徴とする。
2021510917.tif 000002
【特許請求の範囲】
【請求項１】
バッテリーモジュールであって、
少なくとも一側にヒートシンクが取り付けられるモジュールケースと、
前記モジュールケースの内部に収容され、電気的に相互接続できるように積層される複数のバッテリーセルとを含み、
前記複数のバッテリーセルのうち対面するバッテリーセルの間には、熱伝達を遅らせるための複数の空隙が形成される、バッテリーモジュール。
【請求項２】
前記対面するバッテリーセルのうち少なくとも一つのバッテリーセルの表面には、隣接するバッテリーセルの表面と点接触して前記複数の空隙を形成する複数の凹凸部が設けられる、請求項１に記載のバッテリーモジュール。
【請求項３】
前記複数の凹凸部は、前記対面するバッテリーセルの表面の全部に備えられる、請求項２に記載のバッテリーモジュール。
【請求項４】
前記複数の凹凸部は、所定の表面粗さを有し、前記少なくとも一つのバッテリーセルの表面にコーティングされるコーティング物質からなる、請求項２または３に記載のバッテリーモジュール。
【請求項５】
前記コーティング物質は、絶縁性を有するエアロゲルからなる、請求項４に記載のバッテリーモジュール。
【請求項６】
前記対面するバッテリーセルの間に備えられ、前記複数の凹凸部を備えるシート部材をさらに含む、請求項２または３に記載のバッテリーモジュール。
【請求項７】
前記複数の凹凸部は、前記シート部材の少なくとも一面に設けられる、請求項６に記載のバッテリーモジュール。
【請求項８】
前記複数の凹凸部は、前記シート部材の両面にそれぞれ設けられる、請求項７に記載のバッテリーモジュール。
【請求項９】
前記複数の凹凸部は、相互対向する構造で配置されて前記複数の空隙を形成し、前記シート部材の前記バッテリーセルと接触する部分は扁平に形成される、請求項７または８に記載のバッテリーモジュール。
【請求項１０】
前記複数のバッテリーセルは、前記モジュールケースの水平方向に沿って積層され、
前記ヒートシンクは、前記複数のバッテリーセルのエッジ部分に対向する前記モジュールケースの上側または下側に取り付けられる、請求項１〜９のいずれか一項に記載のバッテリーモジュール。
【請求項１１】
請求項１〜１０のいずれか一項に記載の少なくとも一つのバッテリーモジュールと、
前記少なくとも一つのバッテリーモジュールをパッケージングするパックケースとを含む、バッテリーパック。
【請求項１２】
請求項１１に記載の少なくとも一つのバッテリーパックを含む、自動車。
【発明の詳細な説明】
【技術分野】
【０００１】
本発明は、バッテリーモジュール、該バッテリーモジュールを含むバッテリーパック及び該バッテリーパックを含む自動車に関する。
【０００２】
本出願は、２０１８年６月２０日出願の韓国特許出願第１０−２０１８−００７１０２５号に基づく優先権を主張し、当該出願の明細書及び図面に開示された内容は、すべて本出願に組み込まれる。
【背景技術】
【０００３】
製品群毎の適用性が高く、高いエネルギー密度などの電気的特性を有する二次電池は、携帯用機器だけでなく、電気的駆動源によって駆動する電気自動車（ＥＶ；Ｅｌｅｃｔｒｉｃ Ｖｅｈｉｃｌｅ）またはハイブリッド自動車（ＨＥＶ；Ｈｙｂｒｉｄ Ｅｌｅｃｔｒｉｃ Ｖｅｈｉｃｌｅ）などに普遍的に適用されている。このような二次電池は、化石燃料の使用を画期的に減少させるという一次的な長所だけでなく、エネルギーの使用による副産物が全く発生しないという点で環境にやさしく、エネルギー効率向上のための新たなエネルギー源として注目されている。
【０００４】
現在、リチウムイオン電池、リチウムポリマー電池、ニッケルカドミウム電池、ニッケル水素電池、ニッケル亜鉛電池などの二次電池が広く使用されている。このような単位二次電池セル、すなわち、単位バッテリーセルの作動電圧は約２．５Ｖ〜４．５Ｖである。したがって、これよりも高い出力電圧が求められる場合、複数のバッテリーセルを直列で連結してバッテリーパックを構成することがある。また、バッテリーパックに求められる充放電容量に合わせて、複数のバッテリーセルを並列で連結してバッテリーパックを構成することもある。したがって、前記バッテリーパックに含まれるバッテリーセルの個数は求められる出力電圧または充放電容量によって多様に設定され得る。
【０００５】
一方、複数のバッテリーセルを直列／並列で連結してバッテリーパックを構成する場合、少なくとも一つのバッテリーセルを含むバッテリーモジュールをまず構成し、このような少なくとも一つのバッテリーモジュールを用いて、さらにバッテリーモジュールを制御するための電子部品などのその他の構成要素を付け加えることで、バッテリーパックを構成する方法が一般的である。
【０００６】
このような従来のバッテリーモジュールの場合、長期間使用する際は、温度による急激な寿命短縮を防止するため、発熱量及び使用温度に基づいて冷却システムを設計するが、近年、バッテリーモジュールのモジュールケースの下側にヒートシンクを取り付けて冷却するエッジクーリング方式が広く用いられている。
【０００７】
このようなエッジクーリング方式の場合、モジュールケースの内部に配置される複数のバッテリーセル同士は面接触を通じて密着して接触するようになる。エッジクーリング方式のバッテリーモジュールの場合、バッテリーセルから発生する熱をモジュールケース下側のヒートシンクに伝達して冷却させるようになる。ここで、モジュールケースの内部で隣接しているバッテリーセル同士の熱伝達は、冷却の面では大きい影響を及ぼさない。
【０００８】
しかし、従来のバッテリーモジュールの場合、複数のバッテリーセルのうちいずれか一つのバッテリーセルで異常発熱が生じる場合、相互密着して接触するバッテリーセルの配置によって、異常発熱が生じたバッテリーセルで発生した熱が隣接したバッテリーセルへと急速に伝達される問題がある。
【０００９】
このような異常発熱が生じたバッテリーセルによる隣接バッテリーセルへの急速な熱伝達は、ユーザの安全を脅かし得るバッテリーモジュール全体の発火や爆発などの発生を早めるおそれがある。
【発明の概要】
【発明が解決しようとする課題】
【００１０】
したがって、本発明は、複数のバッテリーセルのうちいずれか一つのバッテリーセルで異常発熱が生じたとき、隣接したバッテリーセルへの熱伝達を遅らせて安全性を確保することができるバッテリーモジュール、該バッテリーモジュールを含むバッテリーパック及び該バッテリーパックを含む自動車を提供することを目的とする。
【課題を解決するための手段】
【００１１】
上記の目的を達成するため、本発明は、少なくとも一側にヒートシンクが取り付けられるモジュールケースと、前記モジュールケースの内部に収容され、電気的に相互接続できるように積層される複数のバッテリーセルとを含み、前記複数のバッテリーセルのうち対面するバッテリーセルの間には、熱伝達を遅らせるための複数の空隙が形成されることを特徴とするバッテリーモジュールを提供する。
【００１２】
前記対面するバッテリーセルのうち少なくとも一つのバッテリーセルの表面には、隣接するバッテリーセルの表面と点接触して前記複数の空隙を形成する複数の凹凸部が設けられ得る。
【００１３】
前記複数の凹凸部は、前記対面するバッテリーセルの表面の全部に備えられ得る。
【００１４】
前記複数の凹凸部は、所定の表面粗さを有し、前記少なくとも一つのバッテリーセルの表面にコーティングされるコーティング物質からなり得る。
【００１５】
前記コーティング物質は、絶縁性を有するエアロゲルからなり得る。
【００１６】
前記バッテリーモジュールは、前記対面するバッテリーセルの間に備えられ、前記複数の凹凸部を備えるシート部材をさらに含み得る。
【００１７】
前記複数の凹凸部は、前記シート部材の少なくとも一面に設けられ得る。
【００１８】
前記複数の凹凸部は、前記シート部材の両面にそれぞれ設けられ得る。
【００１９】
前記複数の凹凸部は、相互対向する構造で配置されて前記複数の空隙を形成し、前記シート部材の前記バッテリーセルと接触する部分は扁平に形成され得る。
【００２０】
前記複数のバッテリーセルは、前記モジュールケースの水平方向に沿って積層され、前記ヒートシンクは、前記複数のバッテリーセルのエッジ部分に対向する前記モジュールケースの上側または下側に取り付けられ得る。
【００２１】
そして、本発明は、上述した実施形態による少なくとも一つのバッテリーモジュールと、前記少なくとも一つのバッテリーモジュールをパッケージングするパックケースとを含むことを特徴とするバッテリーパックを提供する。
【００２２】
さらに、本発明は、上述した実施形態による少なくとも一つのバッテリーパックを含むことを特徴とする自動車を提供する。
【発明の効果】
【００２３】
以上のような多様な実施形態によって、複数のバッテリーセルのうちいずれか一つのバッテリーセルで異常発熱が生じたとき、隣接したバッテリーセルへの熱伝達を遅らせて安全性を確保することができるバッテリーモジュール、該バッテリーモジュールを含むバッテリーパック及び該バッテリーパックを含む自動車を提供することができる。
【００２４】
本明細書に添付される次の図面は、本発明の望ましい実施形態を例示するものであり、発明の詳細な説明とともに本発明の技術的な思想をさらに理解させる役割をするものであるため、本発明は図面に記載された事項だけに限定されて解釈されてはならない。
【図面の簡単な説明】
【００２５】
【図１】本発明の一実施形態によるバッテリーモジュールを説明するための断面図である。
【図２】図１のバッテリーモジュールの主要部を説明するための図である。
【図３】図１のバッテリーモジュールにおいて、バッテリーセルの複数の凹凸部を形成する工程を説明するための図である。
【図４】図１のバッテリーモジュールにおいて、バッテリーセル間の熱伝達遅延を説明するための図である。
【図５】本発明の他の実施形態によるバッテリーモジュールを説明するための図である。
【図６】本発明の他の実施形態によるバッテリーモジュールを説明するための図である。
【図７】本発明のさらに他の実施形態によるシート部材を説明するための図である。
【図８】本発明のさらに他の実施形態によるシート部材を説明するための図である。
【図９】本発明の一実施形態によるバッテリーパックを説明するための図である。
【図１０】本発明の一実施形態による自動車を説明するための図である。
【発明を実施するための形態】
【００２６】
以下、添付された図面を参照して本発明の望ましい実施形態を詳しく説明することで本発明をより明確にする。後述する実施形態は発明の理解を助けるため例示的に示されるものであり、本発明が後述する実施形態から多様に変形されて実施できることを理解せねばならない。また、発明の理解を助けるため、添付された図面は、実際の縮尺ではなく、一部構成要素の寸法が誇張して示され得る。
【００２７】
図１は本発明の一実施形態によるバッテリーモジュールを説明するための断面図であり、図２は図１のバッテリーモジュールの主要部を説明するための図であり、図３は図１のバッテリーモジュールにおいてバッテリーセルの複数の凹凸部を形成する工程を説明するための図であり、図４は図１のバッテリーモジュールにおいてバッテリーセル間の熱伝達遅延を説明するための図である。
【００２８】
図１〜図４を参照すれば、バッテリーモジュール１０は、モジュールケース１００、ヒートシンク２００、熱接着剤３００、緩衝パッド４００及びバッテリーセル５００を含むことができる。
【００２９】
前記モジュールケース１００は、前記バッテリーモジュール１０の外観を形成し、後述するバッテリーセル５００を収容することができる。そのため、前記モジュールケース１００には、後述するバッテリーセル５００を収容するための収容空間が設けられ得る。前記モジュールケース１００は、金属またはプラスチック材質からなり得る。
【００３０】
前記ヒートシンク２００は、後述するバッテリーセル５００の冷却のためのものであって、前記モジュールケース１００の一側に取り付けられ得る。前記ヒートシンク２００は、エッジクーリング方式であって、後述する複数のバッテリーセル５００のエッジ部分に対向する前記モジュールケース１００の上側または下側に取り付けられ得る。本実施形態の場合、前記ヒートシンク２００は、前記モジュールケース１００の下側に取り付けられる。前記ヒートシンク２００は、気相または液相の冷媒が流動可能な空間を備え、前記空間を定義する金属材質の外壁を有し得る。
【００３１】
前記熱接着剤３００は、前記モジュールケース１００の底部の内側に備えられ、後述する複数のバッテリーセル５００のエッジ部分を前記モジュールケース１００の底部の内側により安定的に固定することができる。
【００３２】
前記熱接着剤３００は、後述する複数のバッテリーセル５００から発生する熱を前記ヒートシンク２００側により円滑に伝達できる熱伝導性物質からなり得る。例えば、前記熱伝導性物質はシリコーン、エポキシまたはポリウレタンなどを含み得る。
【００３３】
前記緩衝パッド４００は、前記モジュールケース１００の内部で後述する複数のバッテリーセル５００をより安定的に支持することができる。前記緩衝パッド４００は、一対で備えられ得る。前記緩衝パッド４００は、シリコーンパッドのように弾性のある材質からなり得る。
【００３４】
前記一対の緩衝パッド４００は、前記モジュールケース１００内壁の両側にそれぞれ配置され、後述する複数のバッテリーセル５００の最外郭の両側を支持することができる。
【００３５】
前記バッテリーセル５００は、二次電池であって、パウチ型二次電池であり得る。具体的に、前記バッテリーセル５００は、パウチ型のリチウムポリマー電池であり得る。
【００３６】
前記バッテリーセル５００は複数個備えられ、前記複数のバッテリーセル５００は、電気的に相互接続できるように、前記モジュールケース１００の内部で積層され得る。具体的に、前記複数のバッテリーセル５００は、前記モジュールケース１００の内部で前記モジュールケース１００の水平方向に沿って積層され得る。ここで、水平方向とは、図面における幅方向に該当する。
【００３７】
前記複数のバッテリーセル５００のうち対面するバッテリーセル５００の間には、熱伝達を遅らせるための複数の空隙Ｇが形成され得る。
【００３８】
このような複数の空隙Ｇは、前記複数のバッテリーセル５００のうち少なくとも一つのバッテリーセル５００の表面５０５に形成される複数の凹凸部５５０によって形成され得る。
【００３９】
以下、このような複数の凹凸部５５０について詳しく説明する。
【００４０】
対面するバッテリーセル５００のうち少なくとも一つのバッテリーセル５００の表面５０５には、隣接するバッテリーセル５００の表面５０５と点接触して前記複数の空隙Ｇを形成する前記複数の凹凸部５５０が設けられ得る。
【００４１】
前記複数の凹凸部５５０は、前記対面するバッテリーセル５００の少なくとも一つの表面５０５に備えられ得る。望ましくは、前記複数の凹凸部５５０は、前記対面するバッテリーセル５００の表面５０５の全部に備えられ得る。
【００４２】
前記複数の凹凸部５５０は、所定の表面粗さを有し、望ましくは、デコボコした凹凸が形成可能な高い表面粗さを有し、前記少なくとも一つのバッテリーセル５００の表面５０５にコーティングされるコーティング物質Ｃからなり得る。
【００４３】
前記コーティング物質Ｃは、絶縁性を有するエアロゲルからなり得る。このようなエアロゲルは、シリカエアロゲルであり得る。前記コーティング物質Ｃは、前記バッテリーセル５００の製造工程で、スプレー装置Ｓなどによって前記バッテリーセル５００の表面５０５に噴射されて塗布され、前記複数の凹凸部５５０を形成し得る。
【００４４】
本実施形態の場合、前記複数の凹凸部５５０によって、積層されるバッテリーセル５００の隣接するバッテリーセル５００同士が点接触するように配置されるため、一つのバッテリーセル５００が異常発熱したとき、隣接するバッテリーセル５００側への熱伝達Ｈの速度を遅らせることができる。
【００４５】
すなわち、本実施形態の場合、前記複数の凹凸部５５０を介した隣接するバッテリーセル５００の点接触配置を通じて、ある一つのバッテリーセル５００で異常発熱しても、バッテリーセル５００が相互面接触して配置されている場合と比べて、隣接した周辺のバッテリーセル５００側への熱伝達を最大限に遅らせることができるため、全体バッテリーモジュール１０の発火や爆発なども遅らせることができる。
【００４６】
したがって、本実施形態の場合、一つのバッテリーセル５００で生じ得る内部短絡などによる異常発熱などのとき、前記複数の凹凸部５５０によって全体バッテリーモジュール１０の発火や爆発などを遅らせて、ユーザが待避する時間などを確保することができ、ユーザ安全性を効果的に確保することができる。
【００４７】
図５及び図６は、本発明の他の実施形態によるバッテリーモジュールを説明するための図であり、図７及び図８は、本発明のさらに他の実施形態によるシート部材を説明するための図である。
【００４８】
本実施形態によるバッテリーモジュール２０は、上述した実施形態の前記バッテリーモジュール１０と類似するため、以下、上述した実施形態と同じ構成は重複する説明を省略し、上述した実施形態との相違点を中心に説明する。
【００４９】
図５及び図６を参照すれば、前記バッテリーモジュール２０は、対面するバッテリーセル５００の間に備えられる少なくとも一つのシート部材６００をさらに含むことができる。
【００５０】
前記シート部材６００は、対面するバッテリーセル５００の間毎に備えられ、複数の凹凸部６５０を備え得る。
【００５１】
前記複数の凹凸部６５０は、前記シート部材６００の少なくとも一面に設けられ得る。前記複数の凹凸部６５０は、対向するバッテリーセル５００の表面に点接触して複数の空隙Ｇを形成することができる。このように、前記複数の凹凸部６５０は、コーティング物質を塗布する代りに、別途のシート部材６００に設けられる方式によっても備えられ得る。
【００５２】
図７に示されたように、複数の空隙Ｇを形成する複数の凹凸部６５０、６７０はシート部材６００の両面にそれぞれ設けられてもよい。また、図８に示されたように、対面するバッテリーセル５００の間に複数のシート部材７００、８００が備えられ、前記複数のシート部材７００、８００のそれぞれに複数の凹凸部７５０、８５０が形成されてもよい。
【００５３】
このように、隣接するバッテリーセル５００間の熱伝達を遅らせるために前記複数の空隙Ｇを形成する前記複数の凹凸部６５０、６７０、７５０、８５０は、上述した実施形態のようにコーティング物質Ｃを塗布する方式の外に、別途のシート部材６００、７００、８００を通じても備えられ得る。ここで、前記別途のシート部材６００、７００、８００は、高い表面粗さを有するシートフィルムであり得る。
【００５４】
一方、図８に示されたように、前記複数のシート部材７００、８００のそれぞれに複数の凹凸部７５０、８５０が形成される場合、対面するバッテリーセル５００にポイント圧力（ｐｏｉｎｔ ｐｒｅｓｓｕｒｅ）が印加されることを効果的に防止することができる。そのため、前記複数のシート部材７００、８００はそれぞれ弾性を有する材質からなり、凹凸部７５０、８５０の端部は、尖らずに、鈍った形状に形成され得る。もし、バッテリーセル５００にポイント圧力が印加される場合、該当部位の発熱量が増加して内部短絡などが発生するおそれがある。本実施形態の場合、前記複数のシート部材７００、８００を備えることで、相互対向する凹凸部７５０、８５０によって凹凸部７５０、８５０の間に前記複数の空隙Ｇを形成することができ、それぞれの凹凸部７５０、８５０の反対側の扁平な面が前記バッテリーセル５００に接触するため、バッテリーセル５００の間で発生し得るポイント圧力が印加されることを効果的に防止することができる。
【００５５】
図９は本発明の一実施形態によるバッテリーパックを説明するための図であり、図１０は本発明の一実施形態による自動車を説明するための図である。
【００５６】
図９及び図１０を参照すれば、バッテリーパック１は、上述した実施形態による少なくとも一つのバッテリーモジュール１０及び前記少なくとも一つのバッテリーモジュール１０をパッケージングするパックケース５０を含むことができる。
【００５７】
前記少なくとも一つのバッテリーモジュールは、上述した実施形態のバッテリーモジュール２０であり得、複数個が備えられてもよい。複数個が備えられる場合、上述した実施形態のバッテリーモジュール１０とバッテリーモジュール２０との集合体として設けられてもよい。
【００５８】
このような前記バッテリーパック１は、自動車Ｖの燃料源として、自動車Ｖに備えられ得る。例えば、前記バッテリーパック１は、電気自動車、ハイブリッド自動車及びその他バッテリーパック１を燃料源として使用可能なその他の方式で自動車Ｖに備えられ得る。
【００５９】
また、前記バッテリーパック１は、前記自動車Ｖの外にも、二次電池を用いる電力貯蔵装置（Ｅｎｅｒｇｙ Ｓｔｏｒａｇｅ Ｓｙｓｔｅｍ）などのその他の装置や器具及び設備などにも備えられることは言うまでもない。
【００６０】
このように、本実施形態による前記バッテリーパック１、及び前記自動車Ｖのような前記バッテリーパック１を備える装置や器具及び設備は、上述した前記バッテリーモジュール１０を含むため、上述したバッテリーモジュール１０による長所をすべて有するバッテリーパック１及び前記バッテリーパック１を備える自動車Ｖなどのような装置や器具及び設備などを具現することができる。
【００６１】
以上のような多様な実施形態によって、複数のバッテリーセル５００のうちいずれか一つのバッテリーセル５００で異常発熱が生じたとき、隣接したバッテリーセル５００への熱伝達を遅らせて安全性を確保することができるバッテリーモジュール１０、２０、このようなバッテリーモジュール１０、２０を含むバッテリーパック１、及びこのようなバッテリーパック１を含む自動車Ｖを提供することができる。
【００６２】
以上、本発明の望ましい実施形態を図示し説明したが、本発明が上述した特定の実施形態に限定されることはなく、特許請求の範囲で請求する本発明の要旨から逸脱することなく発明が属する技術分野で通常の知識を持つ者によって多様な変形実施が可能であり、このような変形実施は本発明の技術的思想や見込みから個別的に理解されてはならない。
【符号の説明】
【００６３】
１  バッテリーパック
１０  バッテリーモジュール
２０  バッテリーモジュール
５０  パックケース
１００  モジュールケース
２００  ヒートシンク
３００  熱接着剤
４００  緩衝パッド
５００  バッテリーセル
５０５  表面
５５０  凹凸部
６００  シート部材
６５０  凹凸部
６７０  凹凸部
７００  シート部材
７５０  凹凸部
８００  シート部材
８５０  凹凸部
【図１】
2021510917.tif 000003
【図２】
2021510917.tif 000004
【図３】
2021510917.tif 000005
【図４】
2021510917.tif 000006
【図５】
2021510917.tif 000007
【図６】
2021510917.tif 000008
【図７】
2021510917.tif 000009
【図８】
2021510917.tif 000010
【図９】
2021510917.tif 000011
【図１０】
2021510917.tif 000012
【国際調査報告】
2021510917.tif 000013
2021510917.tif 000014
2021510917.tif 000015
2021510917.tif 000016